(57)【要約】      （修正有）【課題】導電性ペーストからなる連結手段及び遮断隔壁を利用して、放電電極と端子部電極とを安定的かつ効率的に連結できるＰＤＰの電極端子部連結構造及びそれを備えたＰＤＰを提供する。【解決手段】所定の間隔をおいて離隔され、互いに対向して配置される一対の基板１１０と、一対の基板間に配置され、一対の基板と共に放電セルを画定する隔壁１２０と、一対の基板間に形成される誘電体層１７０と、隔壁１内に配置されて放電を行う放電部１３１ａと、放電部の端部に位置して隔壁の外部に配置される露出部１３１ｂと、を備える放電電極１３０と、誘電体層に接触して配置される端子部電極１３６と、露出部１３１ｂと端子部電極とを電気的に連結する導電性ペーストからなる連結手段１３８と、連結手段間に配置され、隣接する連結手段間の電気的絶縁を行う遮断隔壁１２５と、一端が端子部電極に接触して配置される信号伝達手段１５０と、を備える。【選択図】図１
2006351526.tif 000002
【特許請求の範囲】
【請求項１】
所定の間隔をおいて離隔され、互いに対向して配置される一対の基板と、
前記一対の基板間に配置され、前記一対の基板と共に放電セルを画定する隔壁と、
前記一対の基板間に配置される誘電体層と、
前記隔壁内に配置されて放電を行う放電部と、前記放電部の端部に位置して前記隔壁の外部に配置される露出部と、を備える放電電極と、
前記誘電体層に接触して配置される端子部電極と、
前記露出部と前記端子部電極とを電気的に連結する導電性ペーストからなる連結手段と、
前記連結手段間に配置され、隣接する前記連結手段間の電気的絶縁を行う遮断隔壁と、
一端が前記端子部電極に接触して配置される信号伝達手段と、
を備えるプラズマディスプレイパネルの電極端子部連結構造。
【請求項２】
前記基板の幅は、前記隔壁が形成された長さより長い請求項１に記載のプラズマディスプレイパネルの電極端子部連結構造。
【請求項３】
前記基板の表面の少なくとも一部は、基板保護層を備える請求項１に記載のプラズマディスプレイパネルの電極端子部連結構造。
【請求項４】
前記隔壁の側面の少なくとも一部は、隔壁保護層で覆われる請求項１に記載のプラズマディスプレイパネルの電極端子部連結構造。
【請求項５】
前記隔壁は、第１隔壁と前記第１隔壁と密着して配置された第２隔壁と、を備えてなる請求項１に記載のプラズマディスプレイパネルの電極端子部連結構造。
【請求項６】
前記放電部は、前記第１隔壁内に配置される請求項５に記載のプラズマディスプレイパネルの電極端子部連結構造。
【請求項７】
前記放電部は、前記放電セルを取り囲むように配置された請求項１に記載のプラズマディスプレイパネルの電極端子部連結構造。
【請求項８】
前記放電電極は、共通電極である請求項１に記載のプラズマディスプレイパネルの電極端子部連結構造。
【請求項９】
前記放電電極は、走査電極である請求項１に記載のプラズマディスプレイパネルの電極端子部連結構造。
【請求項１０】
前記放電電極は、アドレス電極である請求項１に記載のプラズマディスプレイパネルの電極端子部連結構造。
【請求項１１】
前記信号伝達手段は、フレキシブルプリンテッドケーブルである請求項１に記載のプラズマディスプレイパネルの電極端子部連結構造。
【請求項１２】
前記信号伝達手段は、テープキャリアパッケージである請求項１に記載のプラズマディスプレイパネルの電極端子部連結構造。
【請求項１３】
前記信号伝達手段と前記端子部電極は、異方性導電フィルムによって連結される請求項１に記載のプラズマディスプレイパネルの電極端子部連結構造。
【請求項１４】
前記遮断隔壁の一端は前記放電電極間に位置し、当該遮断隔壁の他端は前記端子部電極間に位置する請求項１に記載のプラズマディスプレイパネルの電極端子部連結構造。
【請求項１５】
前記遮断隔壁の高さは、前記隔壁の高さよりも低く、前記端子部電極が配置される前記誘電体層の表面から前記放電電極までの高さよりも高い請求項１に記載のプラズマディスプレイパネルの電極端子部連結構造。
【請求項１６】
前記遮断隔壁の高さは、前記隔壁の高さと同じ高さである請求項１に記載のプラズマディスプレイパネルの電極端子部連結構造。
【請求項１７】
前記遮断隔壁は、前記放電セルのうち画像が具現されていないダミー領域に位置する請求項１に記載のプラズマディスプレイパネルの電極端子部連結構造。
【請求項１８】
請求項１〜１７のうちいずれか１項に記載の電極端子部連結構造を備えたプラズマディスプレイパネル。
【請求項１９】
所定の間隔をおいて離隔され、互いに対向して配置される一対の基板と、
前記一対の基板間に配置され、前記一対の基板と共に放電セルを画定する隔壁と、
前記隔壁内に配置されて放電を行う放電部と、前記隔壁の外部に配置される露出部と、を備えた放電電極と、
前記一対の基板のうちのいずれか一つの基板に接触して配置される端子部電極と、
前記露出部と前記端子部電極とを電気的に連結する導電性ペーストからなる連結手段と、
前記連結手段間に配置されることによって、隣接した前記連結手段間の電気的絶縁を行う遮断隔壁と、
一端が前記端子部に接触して設置される信号伝達手段と、
を備えるプラズマディスプレイパネルの電極端子部連結構造。
【請求項２０】
前記基板の幅は、前記隔壁が形成された長さよりも長い請求項１９に記載のプラズマディスプレイパネルの電極端子部連結構造。
【請求項２１】
前記基板の表面の少なくとも一部は、基板保護層を備える請求項１９に記載のプラズマディスプレイパネルの電極端子部連結構造。
【請求項２２】
前記隔壁の側面の少なくとも一部は、隔壁保護層で覆われる請求項１９に記載のプラズマディスプレイパネルの電極端子部連結構造。
【請求項２３】
前記隔壁は、第１隔壁と前記第１隔壁と密着して配置された第２隔壁と、を備えてなる請求項１９に記載のプラズマディスプレイパネルの電極端子部連結構造。
【請求項２４】
前記放電部は、前記第１隔壁内に配置される請求項２３に記載のプラズマディスプレイパネルの電極端子部連結構造。
【請求項２５】
前記放電部は、前記放電セルを取り囲むように配置された請求項１９に記載のプラズマディスプレイパネルの電極端子部連結構造。
【請求項２６】
前記放電電極は共通電極である請求項１９に記載のプラズマディスプレイパネルの電極端子部連結構造。
【請求項２７】
前記放電電極は、走査電極である請求項１９に記載のプラズマディスプレイパネルの電極端子部連結構造。
【請求項２８】
前記放電電極は、アドレス電極である請求項１９に記載のプラズマディスプレイパネルの電極端子部連結構造。
【請求項２９】
前記信号伝達手段は、フレキシブルプリンテッドケーブルである請求項１９に記載のプラズマディスプレイパネルの電極端子部連結構造。
【請求項３０】
前記信号伝達手段は、テープキャリアパッケージである請求項１９に記載のプラズマディスプレイパネルの電極端子部連結構造。
【請求項３１】
前記信号伝達手段と前記端子部電極とは、異方性導電フィルムによって連結される請求項１９に記載のプラズマディスプレイパネルの電極端子部連結構造。
【請求項３２】
前記遮断隔壁の一端が前記放電電極間に位置し、当該遮断隔壁の他端は前記端子部電極間に位置する請求項１９に記載のプラズマディスプレイパネルの電極端子部連結構造。
【請求項３３】
前記遮断隔壁の高さは、前記隔壁の高さよりも低く、前記端子部電極が配置される基板の表面から前記放電電極までの高さよりも高い請求項１９に記載のプラズマディスプレイパネルの電極端子部連結構造。
【請求項３４】
前記遮断隔壁の高さは、前記隔壁の高さと同じ高さである請求項１９に記載のプラズマディスプレイパネルの電極端子部連結構造。
【請求項３５】
前記遮断隔壁は、前記放電セルのうち画像が具現されていないダミー領域に位置する請求項１９に記載のプラズマディスプレイパネルの電極端子部連結構造。
【請求項３６】
請求項１９〜３５のうちいずれか１項に記載の電極端子部連結構造を備えたプラズマディスプレイパネル。
【発明の詳細な説明】
【技術分野】
【０００１】
本発明は、プラズマディスプレイパネル（Ｐｌａｓｍａ  Ｄｉｓｐｌａｙ  Ｐａｎｅｌ：ＰＤＰ）の電極端子部連結構造及びそれを備えたＰＤＰに係り、さらに詳細には、放電電極と端子部電極とを安定的に連結できるＰＤＰの電極端子部連結構造及びそれを備えたＰＤＰに関する。
【背景技術】
【０００２】
近年、従来の陰極線管ディスプレイ装置に代えるものとして注目されているプラズマディスプレイパネル（以下、「ＰＤＰ」と称する）は、複数個の電極が形成された二つの基板間に放電ガスが封入された後に放電電圧が加えられ、放電電圧が加わることによって発生する紫外線により所定のパターンで形成された蛍光体が励起されて所望の画像を得る装置である。
【０００３】
このようなＰＤＰを駆動するためには、映像信号によって駆動回路基板から電圧を印加する必要があるが、通常、放電を行う放電電極は露出された端部を経由して端子部電極と連結され、端子部電極は信号伝達手段によって駆動回路基板と連結される。
【０００４】
ところが、従来のＰＤＰのうち対向放電形式のように放電電極が隔壁の内部に配置される場合には、放電電極の端部が隔壁に埋め込まれている放電電極の高さに露出する一方、端子部電極は基板上に形成されるので、両電極間で高さの差が生じてしまっていた。
【０００５】
このような電極間の高さの差によって、放電電極の端部と基板上に形成された端子部電極とを電気的に連結する過程で、放電電極の端部が破損したり、放電電極間に電気的なショートが起きたりするなどの様々な問題点があった。したがって、放電電極と端子部電極とを安定的かつ効率的に連結できる電極端子部連結構造が望まれている。
【発明の開示】
【発明が解決しようとする課題】
【０００６】
本発明は、上記従来の問題点を解決するために成されたものであり、本発明の主な目的は、導電性ペーストからなる連結手段及び遮断隔壁を利用して、放電電極と端子部電極とを安定的かつ効率的に連結できるＰＤＰの電極端子部連結構造及びそれを備えたＰＤＰを提供することである。
【課題を解決するための手段】
【０００７】
前記目的達成するための本発明に係るＰＤＰの電極端子部連結構造は、所定の間隔をおいて離隔され、互いに対向して配置される一対の基板と、前記一対の基板間に配置され、前記一対の基板と共に放電セルを画定する隔壁と、前記一対の基板間に配置される誘電体層と、前記隔壁内に配置されて放電を行う放電部と、前記放電部の端部に位置して前記隔壁の外部に配置される露出部と、を備える放電電極と、前記誘電体層に接触して配置される端子部電極と、前記露出部と前記端子部電極とを電気的に連結する導電性ペーストからなる連結手段と、前記連結手段間に配置されることによって、隣接した前記連結手段間の電気的絶縁を行う遮断隔壁と、一端が前記端子部の電極に接触して配置される信号伝達手段と、を備えるＰＤＰの電極端子部連結構造である。
【０００８】
ここで、前記基板の幅は、前記隔壁が形成された長さよりも長いことが望ましい。
【０００９】
ここで、前記基板は、その表面の少なくとも一部が基板保護層を備える。
【００１０】
ここで、前記隔壁は、その側面の少なくとも一部が隔壁保護層で覆われる。
【００１１】
ここで、前記隔壁は、第１隔壁と、前記第１隔壁と密着して配置された第２隔壁とを備えてなる。
【００１２】
ここで、前記放電部は、第１隔壁内に配置される。
【００１３】
ここで、前記放電部は、前記放電セルを取り囲むように配置される。
【００１４】
ここで、前記放電電極は、共通電極である。
【００１５】
ここで、前記放電電極は、走査電極である。
【００１６】
ここで、前記放電電極は、アドレス電極である。
【００１７】
ここで、前記信号伝達手段は、フレキシブルプリンテッドケーブル（Ｆｌｅｘｉｂｌｅ  Ｐｒｉｎｔｅｄ  Ｃａｂｌｅ：ＦＰＣ）である。
【００１８】
ここで、前記信号伝達手段は、テープキャリアパッケージ（Ｔａｐｅ  Ｃａｒｒｉｅｒ  Ｐａｃｋａｇｅ：ＴＣＰ）である。
【００１９】
ここで、前記信号伝達手段と前記端子部電極は、異方性導電フィルムによって連結される。
【００２０】
ここで、前記遮断隔壁の一端は前記放電電極間に位置し、当該遮断隔壁の他端は前記端子部電極間に位置することが望ましい。
【００２１】
ここで、前記遮断隔壁の高さは、前記隔壁の高さよりも低く、前記端子部電極が配置される前記誘電体層の表面から前記放電電極までの高さよりも高い。
【００２２】
ここで、前記遮断隔壁の高さは、前記隔壁の高さと同じである。
【００２３】
ここで、前記遮断隔壁は、前記放電セルのうち画像が具現されていないダミー領域に位置することが望ましい。
【００２４】
ここで、ＰＤＰは、前述したような電極端子部連結構造を備える。
【００２５】
また、前記目的達成するための本発明に係るプラズマディスプレイパネルの電極端子部連結構造は、所定の間隔をおいて離隔され、互いに対向して配置される一対の基板と、前記一対の基板間に配置され、前記一対の基板と共に放電セルを画定する隔壁と、前記隔壁内に配置されて放電を行う放電部と、前記隔壁の外部に配置される露出部と、を備えた放電電極と、前記一対の基板のうちいずれか一つの基板に接触して配置される端子部電極と、前記露出部と前記端子部電極とを電気的に連結する導電性ペーストからなる連結手段と、前記連結手段間に配置されることによって、隣接した前記連結手段間の電気的絶縁を行う遮断隔壁と、一端が前記端子部に接触して設置される信号伝達手段と、を備えるＰＤＰの電極端子部連結構造である。
【００２６】
ここで、前記基板の幅は、前記隔壁が形成された長さより長いことが望ましい。
【００２７】
ここで、前記基板は、その表面の少なくとも一部が基板保護層を備える。
【００２８】
ここで、前記隔壁は、その側面の少なくとも一部が隔壁保護層で覆われる。
【００２９】
ここで、前記隔壁は、第１隔壁と、前記第１隔壁と密着して配置された第２隔壁と、を備えてなる。
【００３０】
ここで、前記放電部は、第１隔壁内に配置される。
【００３１】
ここで、前記放電部は、前記放電セルを取り囲むように配置される。
【００３２】
ここで、前記放電電極は、共通電極である。
【００３３】
ここで、前記放電電極は、走査電極である。
【００３４】
ここで、前記放電電極は、アドレス電極である。
【００３５】
ここで、前記信号伝達手段は、ＦＰＣである。
【００３６】
ここで、前記信号伝達手段は、ＴＣＰである。
【００３７】
ここで、前記信号伝達手段と前記端子部電極は、異方性導電フィルムによって連結される。
【００３８】
ここで、前記遮断隔壁の一端は前記放電電極の間に位置し、当該遮断隔壁の他端は前記端子部電極の間に位置することが望ましい。
【００３９】
ここで、前記遮断隔壁の高さは、前記隔壁の高さより低く、前記端子部電極が配置される基板の表面から前記放電電極までの高さより高い。
【００４０】
ここで、前記遮断隔壁の高さは、前記隔壁の高さと同じである。
【００４１】
ここで、前記遮断隔壁は、前記放電セルのうち画像が具現されていないダミー領域に位置することが望ましい。
【００４２】
ここで、ＰＤＰは、前述したような電極端子部連結構造を備える。
【発明の効果】
【００４３】
本発明による電極端子部連結構造を備えたＰＤＰは、導電性ペーストからなる連結手段及び遮断隔壁を利用して、放電電極と端子部電極とを安定的かつ効率的に連結できる。
【００４４】
すなわち、本発明による電極端子部連結構造は、電極のパターン形成工程中にディスペンス法を使用して迅速かつ安定的に形成できるので、製造時間を短縮し、コストを低減することができる。
【発明を実施するための最良の形態】
【００４５】
以下、添付した図面を参照して本発明の望ましい実施形態について詳細に説明する。
【００４６】
（第１実施形態）
図１は、本発明の第１実施形態に係る電極端子部連結構造を備えたＰＤＰを示す部分切開斜視図であり、図２は図１のＩＩ−ＩＩ線に沿う断面図であり、図３は図２のIII−III線に沿う断面図である。
【００４７】
図１〜図３に示すように、本発明の第１実施形態に係る電極端子部連結構造を備えたＰＤＰ１００は、一対の基板１１０、隔壁１２０、維持電極対１３０、アドレス電極１４０、及び信号伝達手段１５０を備える。
【００４８】
一対の基板１１０は、第１基板１１１及び第２基板１１２から構成されるが、第１基板１１１及び第２基板１１２は所定の間隔をおいて離隔されており、互いに対向するように配置される。そのうち第１基板１１１は透明なガラスからなり、可視光線が透過される。
【００４９】
第１基板１１１は、その背面（第２基板１１２と対向する面）に基板保護層１１１ａを備える。基板保護層１１１ａは、酸化マグネシウム（ＭｇＯ）からなり、プラズマ粒子のスパッタリングにより第１基板１１１が損傷することを防止し、２次電子を放出して放電電圧を低める役割を行う。本形態の第１基板１１１は、その背面に基板保護層１１１ａを備えるが、本発明の第１基板はこれに限定されず、基板保護層１１１ａを備えなくてもよい。
【００５０】
本実施形態は第１基板１１１が透明なガラスからなり、蛍光体層１８０で発生した可視光線が第１基板１１１を通じて外部に出る構造を持っているが、本発明はこれに限定されず、第２基板１１２を透明な材質とし、蛍光体層１８０で発生した可視光線が第２基板１１２を通じて外部に出る構造としてもよい。
【００５１】
隔壁１２０は、第１隔壁１２１及び第２隔壁１２２で構成される。
【００５２】
第１隔壁１２１及び第２隔壁１２２は、第１基板１１１及び第２基板１１２と共に複数の放電セル１６０を画定する。
【００５３】
本実施形態の隔壁１２０は、第１隔壁１２１及び第２隔壁１２２に分離して構成したが、本発明はこれに限定されず、本発明の隔壁を一体的に構成してもよい。
【００５４】
第１基板１１１及び第２基板１１２の幅は、隔壁１２０が形成された長さより長く、第１基板１１１及び第２基板１１２は、隔壁１２０と共に放電セル１６０を十分に画定するだけでなく、第１基板１１１及び第２基板１１２の隔壁１２０が配置されていない部分に信号伝達手段１５０の設置を容易に行える。
【００５５】
また、本実施形態では、隔壁１２０によって画定される放電セル１６０の横断面が四角形である場合を図示しているが、本発明はこれに限定されるものではなく、三角形、五角形などの多角形、または円形、楕円形などの多様な形状にも形成することができる。
【００５６】
第１隔壁１２１は、第１基板１１１と第２基板１１２との間に配置されるが、第１隔壁１２１は誘電体からなり、第１隔壁１２１の内部には維持電極対１３０が配置される。また、第１隔壁１２１は、第１基板１１１から延びて形成される。
【００５７】
第１隔壁１２１を形成する誘電体は、荷電粒子が維持電極対１３０に直接衝突して損傷させることを防止し、荷電粒子を誘導して壁電荷を蓄積できるが、このような誘電体としては、例えば、ＰｂＯ、Ｂ２Ｏ３、ＳｉＯ２などが使われる。
【００５８】
本実施形態の第１隔壁１２１は、第１基板１１１から延びて形成されるとしたが、本発明はこれに限定されない。すなわち、本発明の第１隔壁は、第２隔壁から延びて形成されてもよい。また、本発明の第１隔壁は、維持電極対１３０を誘電体に埋め込んでシート状に形成し、そのシートに放電空間に対応する孔を形成した後、第２隔壁上に配置することによって形成されてもよい。
【００５９】
第１隔壁１２１の内部に配置された維持電極対１３０は放電電極であって、共通電極１３１及び走査電極１３２から形成されている。
【００６０】
第２隔壁１２２は誘電体からなり、第１基板１１１と第２基板１１２との間に配置され、第１隔壁１２１と密着して配置されている。
【００６１】
本実施形態のＰＤＰ１００の第１隔壁１２１内には放電電極である維持電極対１３０が配置されるので、維持電極対１３０を構成する共通電極１３１及び走査電極１３２が透明電極である必要がなく、Ａｇ、ＡｌまたはＣｕなどの導電性に優れる抵抗の低い金属材料で形成することができる。この結果、放電による応答速度が速く、信号が歪曲されずに維持放電に必要な消費電力を低減することができるなど様々な利点がある。
【００６２】
また、本施形態では、共通電極１３１及び走査電極１３２の形状が一直線状に構成されるが、本発明はこれに限定されるものではなく、放電セル１６０を取り囲むように共通電極１３１及び走査電極１３２を台形、リング状または四角形の環形状などの多様な形状に構成することができる。この場合には、維持放電が放電セル１６０を限定するあらゆる側面で垂直方向に起きるので、放電面積が相対的に広くなり、相対的に低電圧駆動が可能となり発光効率が高くなるなどの利点がある。
【００６３】
一方、第２基板１１２の前面には、共通電極１３１及び走査電極１３２と交差するようにアドレス電極１４０がストライプ状に配置されて形成される。アドレス電極１４０は、走査電極１３２と共にアドレス放電を行って放電が起きる放電セルを選択する機能を有する。
【００６４】
本実施形態では共通電極１３１及び走査電極１３２の形状が一直線の形状として同じ方向に延長するように構成されているので、放電セルを選択するアドレス放電が行われるためにはアドレス電極１４０が別途形成される必要があるが、本発明はこれに限定しされない。すなわち、本発明のＰＤＰの共通電極及び走査電極の放電部の形状が放電セルを取り囲むように台形や、リング状などでなされていれば、その共通電極及び走査電極を交差して配置することによってアドレッシング作用も同時に行え、この場合にはアドレス電極１４０が別途必要ではなくなる。
【００６５】
アドレス電極１４０の上には誘電体層１７０が積層されて形成される。誘電体層１７０は、放電時に正イオンまたは電子がアドレス電極１４０に衝突してアドレス電極１４０を損傷させることを防止すると共に電荷を誘導することができる誘電体として形成されるが、このような誘電体としては、例えば、ＰｂＯ、Ｂ２Ｏ３、ＳｉＯ２などが使われる。
【００６６】
蛍光体層１８０は、放電セル１６０の下面及び第２隔壁１２２の側面に形成されるが、本発明の場合、蛍光体層１８０が配置される位置はこれに限定されず、放電セル１６０の上面に形成されるなど放電セル１６０内の多様な位置に配置されることができる。
【００６７】
蛍光体層１８０は、紫外線を受けて可視光線を発生させる成分を持つが、赤色発光放電セルに形成された赤色蛍光体層は、Ｙ（Ｖ，Ｐ）Ｏ４：Ｅｕのような蛍光体を含み、緑色発光放電セルに形成された緑色蛍光体層は、Ｚｎ２ＳｉＯ４：Ｍｎのような蛍光体を含み、青色発光放電セルに形成された青色蛍光体層は、ＢＡＭ：Ｅｕのような蛍光体を含む。
【００６８】
一方、蛍光体層１８０が形成されていない第１隔壁１２１の側面には隔壁保護層１９０が形成されている。
【００６９】
隔壁保護層１９０は、酸化マグネシウム（ＭｇＯ）からなり、プラズマ粒子のスパッタリングにより誘電体で形成された隔壁及び電極が損傷することを防止し、２次電子を放出して放電電圧を低める機能を有する。
【００７０】
第１基板１１１、第２基板１１２、及び隔壁１２０により画定された放電セル１６０には、Ｎｅ、Ｘｅ、及びこれらの混合ガスなどの放電ガスが封入される。
【００７１】
一方、前述したように、放電電極の維持電極対１３０は、共通電極１３１及び走査電極１３２から形成されている。
【００７２】
共通電極１３１と走査電極１３２とは、信号伝達手段１５０を利用してそれぞれの駆動回路基板（図示せず）との連結を容易にするために相互に対称になっており、その構造が同一である。重複記載を避けるため、以下では、共通電極１３１を中心に電極端子部連結構造を説明する。
【００７３】
共通電極１３１は、放電部１３１ａ及び露出部１３１ｂから形成されている。
【００７４】
放電部１３１ａは、第１隔壁１２１内に配置されて放電を行い、露出部１３１ｂは、放電部１３１ａの端部に位置しつつ第１隔壁１２１の外部に配置される。
【００７５】
一方、端子部電極１３６は誘電体層１７０上に形成され、導電性ペーストからなる連結手段１３８は、露出部１３１ｂと端子部電極１３６とを電気的に連結する。
【００７６】
連結手段１３８は導電性ペーストを塗布してなるが、前記導電性ペーストの材料としては、バインダー樹脂及び放電電極の材料と同じＡｇ、ＡｌまたはＣｕなどの導電性に優れて抵抗の低い金属材料などを含むことが好ましい。
【００７７】
連結手段１３８の間には遮断隔壁１２５が形成されるが、遮断隔壁１２５は、誘電体層１７０上に形成される。
【００７８】
遮断隔壁１２５は、遮断隔壁１２５の一端１２５ａが共通電極１３１の間に位置し、他端１２５ｂは端子部電極１３６の間に位置する。
【００７９】
遮断隔壁１２５の高さｈ１は、隔壁１２０の高さｈ２より低く、端子部電極１３６が配置される誘電体層１７０の表面から共通電極１３１までの高さｈ３より高く形成されるが、本発明はこれに限定されない。すなわち、本発明の遮断隔壁の高さは、隔壁の高さと同一に形成されてもよい。
【００８０】
図１に示すように、放電セル１６０のうち放電されて画像を形成する領域は、一対の基板１１０の端部のダミー領域Ａ２を除外した領域Ａ１であるが、遮断隔壁１２５はダミー領域Ａ２に位置することによって、放電作用に影響を与えないように設計される。
【００８１】
前記のように構成された遮断隔壁１２５は、導電性ペーストを塗布して連結手段１３８を形成する工程時に、連結手段１３８をなす導電性ペーストの移動を遮断することによって、隣接した連結手段１３８間の電気的な絶縁を行うことができる。
【００８２】
すなわち、製造者はパターン形成工程中にディスペンス法により電極端子部連結パターンを形成するが、まず、図１に示すように、遮断隔壁１２５を共通電極１３１と隣接した共通電極１３１の間に配置した後、導電性ペーストを、空気圧力を利用して露出部１３１ｂ及び端子部電極１３６の一部を包むように吐き出すことによって、連結手段１３８を含む電極端子部連結構造を形成する。この時、遮断隔壁１２５は、導電性ペーストが移動して隣接した連結手段１３８をなす導電性ペーストに接触することを防止することによって、ショートによる電極端子部連結構造の回路不良を防止することができる。
【００８３】
連結手段１３８と接触しない端子部電極１３６の一端には信号伝達手段１５０が電気的に連結されるが、本実施形態の信号伝達手段１５０は、端子部電極１３６を構成する面のうち誘電体層１７０が位置する方向の逆方向に位置した面に接触する。
【００８４】
信号伝達手段１５０は、例えば、ＦＰＣまたはＴＣＰであるが、その場合、ＦＰＣまたはＴＣＰをなしている個々の導線に端子部電極１３６がそれぞれ一対一に対応して設置される。
【００８５】
この時、信号伝達手段１５０のそれぞれの導線と端子部電極１３６とは、異方性導電フィルムにより連結されることができる。
【００８６】
これまで説明した共通電極１３１の構造は、前述したように走査電極１３２と対称の構造になっているので、走査電極１３２の電極端子部連結構造も、遮断隔壁１２５、連結手段１３８などが含まれて共通電極１３１の電極端子部連結構造と対応して同じ構造を持つ。
【００８７】
すなわち、図１及び図２に図示されていないが、隔壁１２０、遮断隔壁１２５、共通電極１３１の露出部１３１ｂ、端子部電極１３６、連結手段１３８、及び信号伝達手段１５０の配置構造は、ＰＤＰ１００の対向側のエッジにも同一に対称に形成されている。
【００８８】
本実施形態の場合、誘電体層１７０上に端子部電極１３６が形成される構造になっているが、本発明はこれに限定されない。すなわち、ＰＤＰの構成するにあたって、誘電体層１７０は必ずしも必要な構成要素ではないので、誘電体層１７０はなくてもよい。特に、前述したように、ＰＤＰの共通電極及び走査電極の放電部の形状が放電セルを取り囲むように台形や、リング状になっていれば、その共通電極及び走査電極の放電部を交差させて配置することによって、アドレス電極１４０が別途必要なく、それにより誘電体層１７０も必要でなくなる場合もある。
【００８９】
次に、本実施形態の電極端子部連結構造を備えたＰＤＰ１００の作用を説明する。
【００９０】
まず、ＰＤＰ１００の隔壁１２０、遮断隔壁１２５、維持電極対１３０、端子部電極１３６及び連結手段１３８を、前述した構成で設置する。その後、信号伝達手段１５０をなしている個々の導線を端子部電極１３６に電気的に連結する。
【００９１】
ＰＤＰ１００の組立て及び放電ガスの注入が終わった後、外部の電源（図示せず）からアドレス電極１４０と走査電極１３２との間に所定のアドレス電圧が印加されれば、アドレス放電が起き、このアドレス放電の結果で維持放電が起きる放電セル１６０が選択される。
【００９２】
その後、前記選択された放電セル１６０の共通電極１３１と走査電極１３２との間に信号伝達手段１５０を経由して放電維持電圧が印加されれば、共通電極１３１及び走査電極１３２に溜まっていた壁電荷の移動で維持放電を起こし、この維持放電時に励起された放電ガスのエネルギー準位が低くなりつつ紫外線が放出される。
【００９３】
そして、この紫外線が放電セル１６０内に塗布された蛍光体１８０を励起させるが、この励起された蛍光体１８０のエネルギー準位が低くなりつつ可視光が放出され、この放出された可視光が第１基板１１１を投射して出射され、ユーザが認識できる画像を形成する。
【００９４】
前記のようになる本実施形態に係る電極端子部連結構造は、遮断隔壁１２５を配置した後、導電性ペーストからなる連結手段１３８をディスペンス法で設置することによって、共通電極１３１及び走査電極１３２のような放電電極と端子部電極１３６とを速かに連結することができるだけでなく、隣接した連結手段１３８との電気的な絶縁も確実に行うことができるので端子部電極の回路不良を防止することができる。
【００９５】
（第２実施形態）
以下、図４〜図６を参照して、本発明の第２実施形態に係る電極端子部連結構造ついて詳細に説明する。
【００９６】
図４は、本発明の第２実施形態に係る電極端子部連結構造を備えたＰＤＰを示す部分切開斜視図であり、図５は、図４のＶ−Ｖ線に沿う断面図であり、図６は図５のＶＩ−ＶＩ線に沿う断面図である。
【００９７】
図４〜図６に示すように、本発明の第２実施形態に係る電極端子部連結構造を備えたＰＤＰ２００は、一対の基板２１０、隔壁２２０、維持電極対２３０、アドレス電極２４０、及び信号伝達手段２５０を備える。
【００９８】
一対の基板２１０は、第１基板２１１及び第２基板２１２から形成されるが、第１基板２１１及び第２基板２１２は、所定の間隔をおいて離隔されており、互いに対向するように配置される。そのうち第１基板２１１は透明なガラスからなって、可視光線が透過される。
【００９９】
本実施形態での基板２１０は、基板保護層を備えていないが、本発明はこれに限定されない。すなわち、本発明によれば、基板に基板保護層を備えて形成することができ、この場合、基板保護層は、放電空間と当接している基板のプラズマ粒子のスパッタリングによる損傷を防止し、２次電子を放出して放電電圧を低める機能を有する。前記基板保護層は、主に酸化マグネシウム（ＭｇＯ）を含む材料から形成される。
【０１００】
隔壁２２０は誘電体からなっており、第１基板２１１及び第２基板２１２と共に複数の放電セル２６０を画定する。
【０１０１】
放電セル２６０は、その断面が円形に形成されているので、円筒形の放電空間をなす。
【０１０２】
第１基板２１１及び第２基板２１２の幅は、隔壁２２０が形成された長さより長く、第１基板２１１及び第２基板２１２は、隔壁２２０と共に放電セル２６０を十分に画定するだけでなく、第１基板２１１及び第２基板２１２で隔壁２２０の配置されていない部分に信号伝達手段２５０の設置を容易に行うことができる。
【０１０３】
また、本実施形態では、隔壁２２０によって画定される放電セル２６０の横断面が円形であると図示されているが、本発明はこれに限定されるものではなく、三角形、四角形、五角形などの多角形、または楕円形などの多様な形状でも形成することができる。
【０１０４】
隔壁２２０は、第２基板２１１から延びて形成される。なお、本実施形態の隔壁２２１は第２基板２１１から延びて形成されているが、本発明はこれに限定されない。すなわち、本発明の隔壁は、維持電極対２３０を誘電体に埋め込んでシート状に形成した後、そのシートに放電空間に対応する孔を形成した後、両基板２１０の間に配置することによって、簡便に形成してもよい。
【０１０５】
隔壁２２０をなす誘電体は、荷電粒子が維持電極対２３０に直接衝突して損傷させることを防止し、荷電粒子を誘導して壁電荷を蓄積できるが、このような誘電体としては、例えば、ＰｂＯ、Ｂ２Ｏ３、ＳｉＯ２などが使われる。
【０１０６】
隔壁２２０の内部に配置された維持電極対２３０は放電電極であって、共通電極２３１及び走査電極２３２から形成されている。
【０１０７】
共通電極２３１及び走査電極２３２は、各放電セル２６０を取り囲むように配置されるが、その外周及び内周の形状が円形であるリングが連続して連結される構造である。
【０１０８】
本実施形態では、放電空間を取り囲んでいる共通電極２３１及び走査電極２３２の部分はリングの構造であり、そのリングは、外周及び内周の形状が円形であるが、本発明はこれに限定されない。すなわち、本発明によれば、放電空間を取り囲んでいる共通電極及び走査電極の部分は台形、四角形の環状、外周及び内周の形状が楕円であるリングなどの形状に構成してもよい。
【０１０９】
本実施形態の場合にも、隔壁２２０内に放電電極である維持電極対２３０が埋め込まれて配置されるので、維持電極対２３０を構成する共通電極２３１及び走査電極２３２が透明電極である必要はなく、Ａｇ、ＡｌまたはＣｕなどの導電性に優れて抵抗の低い金属材料で形成することができる。この結果、放電による応答速度が速く、信号が歪曲されずに維持放電に必要な消費電力を低減することができるなど様々な利点がある。
【０１１０】
走査電極２３２は、共通電極２３１から離隔して配置され、共通電極２３１の延長方向と交差して形成される。
【０１１１】
本実施形態では、共通電極２３１が一方向に延長し、走査電極２３２は共通電極２３１と交差して形成されていて、アドレッシング作用も行うことができるようになっているので、アドレス電極１４０を別途に備える本発明の第１実施形態とは相異なる構成を有している。
【０１１２】
本実施形態では、走査電極２３２が共通電極２３１と交差して形成されて、アドレッシング作用も行うことができるようになっているので、アドレス電極が別途必要ではないが、本発明はこれに限定されない。すなわち、本発明は、走査電極と共通電極とを一方向に延長しつつ、放電セルを取り囲むアドレス電極を、走査電極及び共通電極の延長方向と交差させて隔壁内に配置でき、第１実施形態のようにアドレス電極をストライプ形状にした後、基板上に形成された誘電体層に埋め込んで形成してもよい。
【０１１３】
隔壁２２０の側面には隔壁保護層２９０が形成されている。隔壁保護層２９０は酸化マグネシウム（ＭｇＯ）からなるので、プラズマ粒子のスパッタリングにより隔壁２２０、共通電極２３１、及び走査電極２３２が損傷することを防止し、２次電子を放出して放電電圧を低める役割を行う。
【０１１４】
蛍光体層２８０は、第１基板２１１に形成されたエッチング部２１１ｂに塗布されて形成されるが、エッチング部２１１ｂは放電セル２６０の上面に位置する。
【０１１５】
本実施形態の蛍光体層２８０は、第１基板２１１に形成されたエッチング部２１１ｂに塗布されて形成されが、本発明はこれに限定されない。すなわち、本発明の蛍光体層が配置される位置は前述したように限定はされず、蛍光体層は放電セル内の多様な位置に配置されることができる。
【０１１６】
蛍光体層２８０は紫外線を受けて可視光線を発生させる成分を持つが、赤色発光放電セルに形成された赤色蛍光体層はＹ（Ｖ，Ｐ）Ｏ４：Ｅｕのような蛍光体を含み、緑色発光放電セルに形成された緑色蛍光体層はＺｎ２ＳｉＯ４：Ｍｎのような蛍光体を含み、青色発光放電セルに形成された青色蛍光体層はＢＡＭ：Ｅｕのような蛍光体を含む。
【０１１７】
第１基板２１１、第２基板２１２、及び隔壁２２０により画定された放電セル２６０には、Ｎｅ、Ｘｅ及びこれらの混合ガスなどのような放電ガスが封入される。
【０１１８】
一方、前述したように、放電電極である維持電極対２３０は、共通電極２３１及び走査電極２３２から構成されているが、共通電極２３１と走査電極２３２とは、信号伝達手段２５０を利用してそれぞれの駆動回路基板（図示せず）との連結を容易にするために相互対称になっているだけで、その構造は同一である。重複説明を避けるため、以下では、共通電極２３１を中心として電極端子部連結構造を説明する。
【０１１９】
共通電極２３１は、放電部２３１ａ及び露出部２３１ｂから構成されている。
【０１２０】
放電部２３１ａは、隔壁２２０内に配置されて放電を行い、露出部２３１ｂは、放電部２３１ａの端部に位置しつつ隔壁２２０の外部に配置される。
【０１２１】
一方、端子部電極２３６は第２基板２１２上に形成され、導電性ペーストからなる連結手段２３８は、露出部２３１ｂと端子部電極２３６とを電気的に連結する。
【０１２２】
連結手段２３８は、導電性ペーストを塗布してなるが、前記導電性ペーストの材料としては、バインダー樹脂及び放電電極の材料と同じＡｇ、ＡｌまたはＣｕなどの導電性に優れて抵抗の低い金属材料などを含むことが好ましい。
【０１２３】
連結手段２３８の間には遮断隔壁２２５が形成され、遮断隔壁２２５は第２基板２１２上に形成される。
【０１２４】
遮断隔壁２２５は、遮断隔壁２２５の一端２２５ａが隔壁２２０に密着して形成され、その他端２２５ｂは端子部電極２３６の間に位置する。
【０１２５】
遮断隔壁２２５の高さｈ４は、隔壁２２０の高さｈ５と同一に構成される。
【０１２６】
このように構成された遮断隔壁２２５は、導電性ペーストを塗布して連結手段２３８を形成する工程時に、連結手段２３８をなす導電性ペーストの移動を遮断することによって、隣接した連結手段２３８間の電気的な絶縁を行う。
【０１２７】
すなわち、製造者はパターン形成工程中にディスペンス法により電極端子部連結パターンを形成するが、図４に示すように、遮断隔壁２２５を共通電極２３１の露出部２３１ｂの間に配置した後、導電性ペーストを、空気圧力を利用して露出部２３１ｂ及び端子部電極２３６の一部を包むように吐き出すことによって、連結手段２３８を備えた電極端子部連結構造を形成する。この時、遮断隔壁２２５は、導電性ペーストが移動して隣接した連結手段２３８をなす導電性ペーストに接触することを防止することによって、ショートによる電極端子部連結構造の回路不良を防止することができる。
【０１２８】
連結手段２３８と接触しない端子部電極２３６の一端には信号伝達手段２５０が電気的に連結されるが、本実施形態の信号伝達手段２５０は、端子部電極２３６を構成する面のうち、第２基板２１２が位置する方向の逆方向に位置した面に接触する。
【０１２９】
信号伝達手段２５０は、例えば、ＦＰＣまたはＴＣＰであるが、その場合、ＦＰＣまたはＴＣＰをなしている個々の導線に端子部電極２３６がそれぞれ一対一に対応して設置される。
【０１３０】
この時、信号伝達手段２５０のそれぞれの導線と端子部電極２３６とは、異方性導電フィルムにより連結されることができる。
【０１３１】
以上説明した共通電極２３１の構造は、前述したように走査電極２３２と対称の構造になっているので、走査電極２３２の電極端子部連結構造も、遮断隔壁２２５、連結手段２３８などが含まれて共通電極２３１の電極端子部連結構造と対応して同じ構造を有する。
【０１３２】
すなわち、図４に図示されていないが、隔壁２２０、遮断隔壁２２５、共通電極２３１の露出部２３１ｂ、端子部電極２３６、連結手段２３８及び信号伝達手段２５０の配置構造は、ＰＤＰ２００の対向側のエッジにも同一に対称に形成されている。
【０１３３】
また、本第２実施形態は、前述したようにアドレス電極を別途に備えないように構成されたが、隔壁内にアドレス電極が追加で配置されるならば、そのアドレス電極の端子部構造も、共通電極２３１の端子部構造のように遮断隔壁及び連結手段などを備えることによって、アドレス電極端子部連結構造を形成する工程でディスペンス法を効果的に利用できる。
【０１３４】
次に、本実施形態の電極端子部連結構造を備えたＰＤＰ２００の作用を説明する。
【０１３５】
まず、ＰＤＰ２００の隔壁２２０、遮断隔壁２２５、維持電極対２３０、端子部電極２３６、及び連結手段２３８を、前述した構成で設置する。その後、信号伝達手段２５０をなしている個々の導線を端子部電極２３６に電気的に連結する。
【０１３６】
ＰＤＰ２００の組立て及び放電ガスの注入が終わった後、外部の電源から共通電極２１３と走査電極２３２との間に所定のアドレス電圧が印加されれば、アドレス放電が起き、このアドレス放電の結果で維持放電が起きる放電セル２６０が選択される。
【０１３７】
その後、前記選択された放電セル２６０の共通電極２３１と走査電極２３２との間に信号伝達手段２５０を経由して放電維持電圧が印加されれば、共通電極２３１及び走査電極２３２に溜まっていた壁電荷の移動で維持放電を起こし、この維持放電時に励起された放電ガスのエネルギー準位が低くなるにつれて紫外線が放出される。
【０１３８】
そして、この紫外線が放電セル２６０内に塗布された蛍光体２８０を励起させるが、この励起された蛍光体２８０のエネルギー準位が低くなるにつれて可視光が放出され、この放出された可視光が第１基板２１１を投射して出射されつつユーザが認識できる画像を形成する。
【０１３９】
本実施形態による電極端子部連結構造は、遮断隔壁２２５を配置した後、導電性ペーストからなる連結手段２３８をディスペンス法で設置することによって、共通電極２３１及び走査電極２３２のような放電電極と端子部電極２３６とを速かに連結できるだけでなく、隣接した連結手段２３８との電気的な絶縁も確実に行って端子部電極の回路不良を防止することができる。
【０１４０】
本発明は、図面に図示された実施形態を参考として説明されたが、これは例示的なものに過ぎず、当業者ならばこれより多様な変形及び均等な他の実施形態が可能であるという点を理解できる。したがって、本発明の技術的範囲は、特許請求の範囲によって決定されなければならない。
【産業上の利用可能性】
【０１４１】
本発明の電極端子部連結構造は、ＰＤＰの関連技術分野に有用である。
【図面の簡単な説明】
【０１４２】
【図１】本発明の第１実施形態による電極端子部連結構造を備えたＰＤＰを示す部分切開斜視図である。
【図２】図１のＩＩ−ＩＩ線に沿う断面図である。
【図３】図２のIII−III線に沿う断面図である。
【図４】本発明の第２実施形態による電極端子部連結構造を備えたＰＤＰを示す部分切開斜視図である。
【図５】図４のＶ−Ｖ線に沿う断面図である。
【図６】図５のＶＩ−ＶＩ線に沿う断面図である。
【符号の説明】
【０１４３】
１００、２００、３００    ＰＤＰ、
１１０、２１０    基板、
１１１、２１１    第１基板、
１１１ａ    基板保護層、
１１２、２１２    第２基板、
１２０、２２０    隔壁、
１２５、２２５    遮断隔壁、
１３０、２３０    維持電極対、
１３１、２３１    共通電極、
１３１ａ、２３１ａ    共通電極の放電部、
１３１ｂ、２３１ｂ    共通電極の露出部、
１３２、２３２    走査電極、
１３６、２３６    端子部電極、
１３８、２３８    連結手段、
１４０    アドレス電極、
１５０、２５０    信号伝達手段、
１６０、２６０    放電セル、
１７０    誘電体層、
１８０、２８０    蛍光体層、
１９０、２９０    隔壁保護層、
２１１ｂ    エッチング部。
【図１】
2006351526.tif 000003
【図２】
2006351526.tif 000004
【図３】
2006351526.tif 000005
【図４】
2006351526.tif 000006
【図５】
2006351526.tif 000007
【図６】
2006351526.tif 000008